(57)【要約】【課題】  光位相を制御して変調帯域を圧縮したＲＺ信号の許容波長分散量を拡大する。【解決手段】  ＣＷ光源が出力するキャリア光をＮ個の電極を持つ両側駆動マッハツェンダ型光変調器に入射し、Ｎチャネルのデータの電気信号をＲＺ化し、ＲＺ化した電気信号の極性を切替え可能とし、チャネル２〜Ｎの電気信号にＴ／２Ｎ×ｋ（ｋ：１，２，３，…，Ｎ−１）の遅延を与え、この電気信号で両側駆動マッハツェンダ型光変調器を駆動することで一つの両側駆動マッハツェンダ型光変調器を用いてＮチャネルのデータの多重化とＲＺ信号の光信号の生成を行う。この光信号は、ビット毎に光の位相が反転しており変調帯域が圧縮された光信号としてのＲＺ信号として生成される。光変調器を駆動するＲＺ化された電気信号の極性を切替えることで、出力光信号の周波数チャープの符号の正負を反転させる。【選択図】  図１
2006054660.tif 000002
【特許請求の範囲】
【請求項１】
Ｎ個の電気信号を多重化し、光信号に変換して送信する光送信装置において、
キャリア光を出力するＣＷ光源と、
このＣＷ光源と直列に接続されたＮ（Ｎ≧２）個の電極を持つ両側駆動型マッハツェンダ型変調器と、
ビットレートＢ（タイムスロットＴ）でチャネル１〜Ｎの電気信号としてのＮＲＺ信号をＲＺ化するＮ個のＲＺ変換手段と、
このＲＺ変換手段によりＲＺ化されたＮ個の電気信号としてのＲＺ信号の極性をそれぞれ切り替えるＮ個の極性切替手段と、
この極性切替手段により極性が切替えられたチャネル２〜Ｎの電気信号としてのＲＺ信号にそれぞれ、Ｔ／２Ｎ×ｋ（ｋ：１，２，３，…，Ｎ−１）の遅延を与えてこのチャネル２〜Ｎの電気信号としてのＲＺ信号に応じた電圧を前記電極に印加するＮ−１個の遅延手段と、
この遅延手段により遅延が与えられたチャネル２〜Ｎ以外のチャネル１の電極にこのチャネル１の電気信号としてのＲＺ信号に応じたバイアス電圧を印加するバイアス回路と
を備えたことを特徴とする光送信装置。
【請求項２】
前記ＲＺ変換手段および前記極性切替手段として、入力されるＮＲＺ信号の極性を切替える手段と、直流電圧印加手段と、この直流電圧印加手段の出力と前記極性を切替える手段から出力されたＮＲＺ信号とを入力しＲＺ信号を生成する手段とを備えた請求項１記載の光送信装置。
【請求項３】
前記ＮＲＺ信号は、Ｍ個のＮＲＺ信号が時分割多重化された信号であり、
前記ＲＺ変換手段および前記極性切替手段として、入力される前記Ｍ個のＮＲＺ信号の極性をそれぞれ切替える手段と、このそれぞれ切替える手段から出力されたＭ個のＮＲＺ信号を時分割多重化する手段と、直流電圧印加手段と、この直流電圧印加手段の出力と前記時分割多重化する手段から出力された時分割多重化されたＮＲＺ信号とを入力しＲＺ信号を生成する手段とを備えた請求項１記載の光送信装置。
【請求項４】
請求項１ないし３のいずれかに記載の光送信装置と、光信号を伝送する光伝送路と、光信号を受信する光受信装置とにより構成される光伝送システムにおいて、
前記光伝送路から出力された光信号を分配しその一方を前記光受信装置に入力する光分配手段と、
この光分配手段により分配された光信号の他方を入力して前記光伝送路の波長分散量を測定する波長分散測定手段と、
この波長分散測定手段により得られた波長分散量の値に基づき前記光送信装置から出力される光信号のチャープの符号の正負を切替える制御手段と
を備えたことを特徴とする光伝送システム。
【請求項５】
請求項１ないし３のいずれかに記載の光送信装置と、光信号を伝送する光伝送路と、光信号を受信する光受信装置とにより構成される光伝送システムにおいて、
前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、
Ｎ個の前記光送信装置から送信される光信号を波長多重し前記光伝送路に送出する波長多重手段と、
前記光伝送路から到来する波長多重された光信号を分配する光分配手段と、
この光分配手段により分配された光信号の一方から波長毎に光信号を分離してＮ個の前記光受信装置にそれぞれ入力する波長分離手段と、
前記光分配手段により分配された光信号の他方から特定波長の光信号を抽出する波長選択手段と、
この波長選択手段から出力される光信号から前記光伝送路の波長分散量を測定する波長分散測定手段と、
この波長分散測定手段により得られた波長分散量の値に基づきＮ個の前記光送信装置から出力される光信号のチャープの符号の正負を切替える制御手段と
を備えたことを特徴とする光伝送システム。
【請求項６】
前記波長分散測定手段に代えて、
光信号を電気信号に変換する光電変換手段と、
この光電変換手段から出力される電気信号から特定の帯域成分を抽出する帯域選択手段と、
この帯域選択手段から出力される電気信号の強度を測定する強度測定手段と
を備え、
前記制御手段に代えて、この強度測定手段で得られる強度が高くなる方に前記光送信装置のチャープの符号の正負を切替える制御手段を備えた
請求項４または５記載の光伝送システム。
【請求項７】
前記波長分散測定手段は、
光信号の光スペクトル成分のうち少なくとも２つの異なる周波数成分を分離して抽出する周波数成分分離手段と、
この周波数成分分離手段から出力される２つの光信号を電気信号に変換する２つの光電変換手段と、
この２つの光電変換手段から出力される２つの電気信号間の相対的位相差を検出する位相比較手段と、
この位相比較手段から得られた相対的位相差情報を元に光信号が前記光伝送路で被った波長分散量を算出する波長分散算出手段と
を備えた請求項４または５記載の光伝送システム。
【請求項８】
請求項１ないし３のいずれかに記載の光送信装置と、光信号を伝送する光伝送路と、光信号を受信する光受信装置とにより構成される光伝送システムにおいて、
前記光受信装置には、光信号に含まれる誤りを検出する手段を備え、
この誤りを検出する手段により得られた誤り率情報を元に、誤り率が低下する方に前記光送信装置から出力される光信号のチャープの符号の正負を切替える制御手段を備えた
ことを特徴とする光伝送システム。
【請求項９】
請求項１ないし３のいずれかに記載の光送信装置と、光信号を伝送する光伝送路と、光信号を受信する光受信装置とにより構成される光伝送システムにおいて、
前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、
Ｎ個の前記光送信装置から送信される光信号を波長多重し前記光伝送路に送出する波長多重手段と、
前記光伝送路から到来する波長多重された光信号から波長毎に光信号を分離してＮ個の前記光受信装置にそれぞれ入力する波長分離手段と
を備え、
Ｎ個の前記光受信装置はそれぞれ受信した光信号に含まれる誤りを検出する手段を備え、
この誤りを検出する手段により得られた誤り率情報を元に、誤り率が低下する方にＮ個の前記光送信装置から出力される光信号のチャープの符号の正負をそれぞれ切替える制御手段を備えた
ことを特徴とする光伝送システム。
【請求項１０】
請求項１ないし３のいずれかに記載の光送信装置と、光信号を伝送する光伝送路と、光信号を受信する光受信装置とにより構成される光伝送システムにおいて、
前記光伝送路から到来する光信号の強度を低下させる可変損失手段が設けられ、
前記光受信装置には、この可変損失手段から出力される光信号に含まれる誤りを検出する手段を備え、
この誤りを検出する手段により得られた誤り率情報を元に、誤り率が低下する方に前記光送信装置から出力される光信号のチャープの符号の正負を切替える制御手段を備えた
ことを特徴とする光伝送システム。
【請求項１１】
請求項１ないし３のいずれかに記載の光送信装置と、光信号を伝送する光伝送路と、光信号を受信する光受信装置とにより構成される光伝送システムにおいて、
前記光送信装置から送出される光信号の強度を低下させる可変損失手段が設けられ、
前記光受信装置には、この可変損失手段から出力され、前記光伝送路により伝送された光信号に含まれる誤りを検出する手段を備え、
この誤りを検出する手段により得られた誤り率情報を元に、誤り率が低下する方に前記光送信装置から出力される光信号のチャープの符号の正負を切替える制御手段を備えた
ことを特徴とする光伝送システム。
【請求項１２】
請求項１ないし３のいずれかに記載の光送信装置と、光信号を伝送する光伝送路と、光信号を受信する光受信装置とにより構成される光伝送システムにおいて、
前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、
Ｎ個の前記光送信装置から送信される光信号を波長多重し前記光伝送路に送出する波長多重手段と、
前記光伝送路から到来する波長多重された光信号から波長毎に光信号を分離する波長分離手段と、
この波長分離手段から出力される波長毎の光信号をそれぞれ入力しその強度を低下させるＮ個の可変損失手段と
を備え、
Ｎ個の前記光受信装置は、このＮ個の可変損失手段からそれぞれ出力された光信号に含まれる誤りを検出する手段を備え、
この誤りを検出する手段により得られた誤り率情報を元に、誤り率が低下する方にＮ個の前記光送信装置から出力される光信号のチャープの符号の正負をそれぞれ切替える制御手段を備えた
ことを特徴とする光伝送システム。
【請求項１３】
請求項１ないし３のいずれかに記載の光送信装置と、光信号を伝送する光伝送路と、光信号を受信する光受信装置とにより構成される光伝送システムにおいて、
前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、
Ｎ個の前記光送信装置から送信される光信号をそれぞれ入力しその強度を低下させるＮ個の可変損失手段と、
このＮ個の可変損失手段からそれぞれ出力された光信号を波長多重し前記光伝送路に送出する波長多重手段と、
前記光伝送路から到来する波長多重された光信号から波長毎に光信号を分離してＮ個の前記光受信装置にそれぞれ入力する波長分離手段と
を備え、
Ｎ個の前記光受信装置はそれぞれ受信した光信号に含まれる誤りを検出する手段を備え、
この誤りを検出する手段により得られた誤り率情報を元に、誤り率が低下する方にＮ個の前記光送信装置から出力される光信号のチャープの符号の正負をそれぞれ切替える制御手段を備えた
ことを特徴とする光伝送システム。
【請求項１４】
前記光受信装置は、誤り訂正手段を備え、前記誤り率情報として誤り訂正数情報を用いる請求項８ないし１３のいずれかに記載の光伝送システム。
【発明の詳細な説明】
【技術分野】
【０００１】
本発明は、複数の電気信号を時分割多重し、光信号に変換して送信する光送信装置および光伝送システムに利用する。特に、光信号のチャープの制御技術に関する。
【背景技術】
【０００２】
近年、大容量光伝送技術の研究が活発に行われ、一波長当りの高速化が進められている。一波長当りの高速化は、容易に周波数利用効率を向上させることが可能であり、大容量光伝送システムにおいて有利である。
【０００３】
商用システムでは、ビットレート１０Ｇｂｉｔ／ｓのシステムが実用化されており、現在は４０Ｇｂｉｔ／ｓシステムの実用化が進められている。しかし、超高速光伝送では、光Ｓ／Ｎ劣化、非線形光学効果、群速度分散、偏波モード分散などの様々な要因による伝送品質劣化が深刻な課題となる。
【０００４】
ビットレート増加に伴い、光Ｓ／Ｎ劣化抑圧のために光伝送路への高い入力パワーが求められる。このため、光信号のパルス幅が伝送信号パターンに依存せず、ＮＲＺ信号と比べて、高い入力パワーを許容できるＲＺ信号が注目を集めている。さらに、伝送容量の増加を目的として波長多重（ＷＤＭ）の高密度化が進められており、変調帯域幅の小さな変調符号が望まれている。
【０００５】
変調帯域の狭いＲＺ信号の光信号を生成する従来技術として、光位相とパルスのデューティを制御して変調帯域を圧縮したＲＺ信号の光信号を生成する光送信装置がある（例えば、特許文献１参照）。
【０００６】
従来の光送信装置の構成を図１８に示す。従来の光送信装置は、キャリア光を出力するＣＷ光源１と、ＣＷ光源１と直列に接続されたＮ（Ｎ≧２）個の電極を持つ両側駆動マッハツェンダ型光変調器２と、電気信号としてのＮＲＺ信号をＲＺ化するＲＺ化手段６０−１〜６０−Ｎと、チャネルｃｈ．２〜ｃｈ．Ｎの電気信号にそれぞれ遅延を与える遅延手段６１−１〜６１−Ｎ−１とから構成される。ＣＷ光源１が出力したキャリア光は両側駆動マッハツェンダ型光変調器２に入力される。
【０００７】
ビットレートＢ（タイムスロットＴ）でチャネルｃｈ．１〜ｃｈ．Ｎの電気信号としてのＮＲＺ信号はそれぞれＲＺ化手段６０−１〜６０−ＮによってＲＺ化され、チャネルｃｈ．２〜ｃｈ．Ｎの電気信号にそれぞれＴ／２Ｎ×ｋ（ｋ：１，２，３，…，Ｎ−１）の遅延が与えられた後、両側駆動マッハツェンダ型光変調器２のＮ個の電極へと入力される。このようにして、Ｎチャネルの信号で順次、キャリア光を変調することで、ビットレートＢ×Ｎの光信号を生成することができる。
【０００８】
電極が２個（Ｎ＝２）の場合の動作について図１９を参照して説明する。図１９の上部が両側駆動マッハツェンダ型光変調器２を駆動する各チャネルの電気信号を、中部が両側駆動マッハツェンダ型光変調器２における両アーム間の光の位相差を、下部が変調された光信号を示す。図中に、信号の論理パターン、光の相対位相も併せて示す。
【０００９】
多重化信号で隣接ビットが“０”の場合には、一方のチャネルの電気信号と同じ光信号が出力される。多重化信号で“１”連続になる場合には、両チャネルの電気信号の立ち上がりと立ち下がりが重なるため、ビット間の境界部分で両アームの光の位相差が電気の立ち上がりと立ち下がりより速く変化するし、ビット間の境界で消光する。
【００１０】
ビット間の境界部分が消光するかどうかは隣接ビットの論理に依存するため、合計４種類のパルスが生成される。この条件でのアイパターンを図２０に示す。この動作条件では、ビットレートＢ×Ｎの動作帯域の電気回路で駆動電気信号を生成することができるため、光変調器２台を直列に接続する従来のＲＺ信号の光送信装置を構成する電気回路と比べて、動作帯域の上昇なしに１台の光変調装置でＲＺ信号の光送信装置を構成することが可能となる。
【００１１】
【特許文献１】特開２００３−３２９９８９号公報
【発明の開示】
【発明が解決しようとする課題】
【００１２】
超高速光伝送システムでは、光Ｓ／Ｎだけでなく、波長分散が大きな問題となる。波長分散に対する耐力はビットレートの２乗に反比例して小さくなるため、高い波長分散耐力を持つ変調符号が望まれる。
【００１３】
光位相を制御した帯域圧縮ＲＺ信号は通常のＲＺ信号と比べると、狭い変調帯域幅のために高い波長分散耐力を持つが、これまで広く使用されているＮＲＺ信号と比べると波長分散耐力は低くなる。
【００１４】
変調符号の波長分散耐力が低くなると、光伝送システムの残留分散を波長分散耐力内に収めなければならないために、様々な波長分散量を持つ波長分散保証用品（波長分散補償ファイバ等）を用意する必要がある。用品数が増加することでシステム全体のコストが高くなる。したがって、超高速光伝送システムに適用される変調符号は、大きな波長分散を許容できることが望まれる。
【００１５】
本発明は、光位相を制御して変調帯域を圧縮したＲＺ信号の許容波長分散量を拡大する光送信装置および光伝送システムを実現することを目的とする。
【課題を解決するための手段】
【００１６】
上記目的を達成するため、本発明では、ＣＷ光源が出力するキャリア光をＮ個の電極を持つ両側駆動マッハツェンダ型光変調器に入射し、Ｎチャネルのデータの電気信号をＲＺ化し、ＲＺ化した電気信号の極性を切替え可能とし、チャネル２〜Ｎの電気信号にＴ／２Ｎ×ｋ（ｋ：１，２，３，…，Ｎ−１）の遅延を与え、この電気信号で両側駆動マッハツェンダ型光変調器を駆動することで一つの両側駆動マッハツェンダ型光変調器を用いてＮチャネルのデータの多重化とＲＺ信号の光信号の生成を行う。この光信号は、ビット毎に光の位相が反転しており変調帯域が圧縮された光信号としてのＲＺ信号として生成される。
【００１７】
両側駆動マッハツェンダ型光変調器を駆動するＲＺ化された電気信号の極性を切替えることで、両側駆動マッハツェンダ型光変調器出力において発光（消光）するときに光位相が進むか遅れるかの関係を切替えることができ、出力光信号の周波数チャープ（単にチャープという）の符号の正負を反転させることができる。
【００１８】
このように、光信号のチャープの符号の正負を切替えることにより、最適分散値を変更することができ、あるペナルティ内で許容できる波長分散量を拡大することが可能となる。
【００１９】
すなわち、本発明の第一の観点は、Ｎ個の電気信号を多重化し、光信号に変換して送信する光送信装置であって、本発明の特徴とするところは、キャリア光を出力するＣＷ光源と、このＣＷ光源と直列に接続されたＮ（Ｎ≧２）個の電極を持つ両側駆動型マッハツェンダ型変調器と、ビットレートＢ（タイムスロットＴ）でチャネル１〜Ｎの電気信号としてのＮＲＺ信号をＲＺ化するＮ個のＲＺ変換手段と、このＲＺ変換手段によりＲＺ化されたＮ個の電気信号としてのＲＺ信号の極性をそれぞれ切替えるＮ個の極性切替手段と、この極性切替手段により極性が切替えられたチャネル２〜Ｎの電気信号としてのＲＺ信号にそれぞれ、Ｔ／２Ｎ×ｋ（ｋ：１，２，３，…，Ｎ−１）の遅延を与えてこのチャネル２〜Ｎの電気信号としてのＲＺ信号に応じた電圧を前記電極に印加するＮ−１個の遅延手段と、この遅延手段により遅延が与えられたチャネル２〜Ｎ以外のチャネル１の電極にこのチャネル１の電気信号としてのＲＺ信号に応じたバイアス電圧を印加するバイアス回路とを備えたところにある（請求項１）。
【００２０】
また、前記ＲＺ変換手段および前記極性切替手段として、入力されるＮＲＺ信号の極性を切替える手段と、直流電圧印加手段と、この直流電圧印加手段の出力と前記極性を切替える手段から出力されたＮＲＺ信号とを入力しＲＺ信号を生成する手段とを備えることができる（請求項２）。
【００２１】
あるいは、前記ＮＲＺ信号は、Ｍ個のＮＲＺ信号が時分割多重化された信号であり、前記ＲＺ変換手段および前記極性切替手段として、入力される前記Ｍ個のＮＲＺ信号の極性をそれぞれ切替える手段と、このそれぞれ切替える手段から出力されたＭ個のＮＲＺ信号を時分割多重化する手段と、直流電圧印加手段と、この直流電圧印加手段の出力と前記時分割多重化する手段から出力された時分割多重化されたＮＲＺ信号とを入力しＲＺ信号を生成する手段とを備えることができる（請求項３）。
【００２２】
本発明の第二の観点は、本発明の光送信装置と、光信号を伝送する光伝送路と、光信号を受信する光受信装置とにより構成される光伝送システムであって、本発明の特徴とするところは、前記光伝送路から出力された光信号を分配しその一方を前記光受信装置に入力する光分配手段と、この光分配手段により分配された光信号の他方を入力して前記光伝送路の波長分散量を測定する波長分散測定手段と、この波長分散測定手段により得られた波長分散量の値に基づき前記光送信装置から出力される光信号のチャープの符号の正負を切替える制御手段とを備えたところにある（請求項４）。
【００２３】
あるいは、本発明の光伝送システムは、前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、Ｎ個の前記光送信装置から送信される光信号を波長多重し前記光伝送路に送出する波長多重手段と、前記光伝送路から到来する波長多重された光信号を分配する光分配手段と、この光分配手段により分配された光信号の一方から波長毎に光信号を分離してＮ個の前記光受信装置にそれぞれ入力する波長分離手段と、前記光分配手段により分配された光信号の他方から特定波長の光信号を抽出する波長選択手段と、この波長選択手段から出力される光信号から前記光伝送路の波長分散量を測定する波長分散測定手段と、この波長分散測定手段により得られた波長分散量の値に基づきＮ個の前記光送信装置から出力される光信号のチャープの符号の正負を切替える制御手段とを備えたことを特徴とする（請求項５）。
【００２４】
また、前記波長分散測定手段に代えて、光信号を電気信号に変換する光電変換手段と、この光電変換手段から出力される電気信号から特定の帯域成分を抽出する帯域選択手段と、この帯域選択手段から出力される電気信号の強度を測定する強度測定手段とを備え、前記制御手段に代えて、この強度測定手段で得られる強度が高くなる方に前記光送信装置のチャープの符号の正負を切替える制御手段を備えることもできる（請求項６）。
【００２５】
また、前記波長分散測定手段は、光信号の光スペクトル成分のうち少なくとも２つの異なる周波数成分を分離して抽出する周波数成分分離手段と、この周波数成分分離手段から出力される２つの光信号を電気信号に変換する２つの光電変換手段と、この２つの光電変換手段から出力される２つの電気信号間の相対的位相差を検出する位相比較手段と、この位相比較手段から得られた相対的位相差情報を元に光信号が前記光伝送路で被った波長分散量を算出する波長分散算出手段とを備えることができる（請求項７）。
【００２６】
あるいは、本発明の光伝送システムは、前記光受信装置には、光信号に含まれる誤りを検出する手段を備え、この誤りを検出する手段により得られた誤り率情報を元に、誤り率が低下する方に前記光送信装置から出力される光信号のチャープの符号の正負を切替える制御手段を備えたことを特徴とする（請求項８）。
【００２７】
あるいは、本発明の光伝送システムは、前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、Ｎ個の前記光送信装置から送信される光信号を波長多重し前記光伝送路に送出する波長多重手段と、前記光伝送路から到来する波長多重された光信号から波長毎に光信号を分離してＮ個の前記光受信装置にそれぞれ入力する波長分離手段とを備え、Ｎ個の前記光受信装置はそれぞれ受信した光信号に含まれる誤りを検出する手段を備え、この誤りを検出する手段により得られた誤り率情報を元に、誤り率が低下する方にＮ個の前記光送信装置から出力される光信号のチャープの符号の正負をそれぞれ切替える制御手段を備えたことを特徴とする（請求項９）。
【００２８】
あるいは、本発明の光伝送システムは、前記光伝送路から到来する光信号の強度を低下させる可変損失手段が設けられ、前記光受信装置には、この可変損失手段から出力される光信号に含まれる誤りを検出する手段を備え、この誤りを検出する手段により得られた誤り率情報を元に、誤り率が低下する方に前記光送信装置から出力される光信号のチャープの符号の正負を切替える制御手段を備えたことを特徴とする（請求項１０）。
【００２９】
あるいは、本発明の光伝送システムは、前記光送信装置から送出される光信号の強度を低下させる可変損失手段が設けられ、前記光受信装置には、この可変損失手段から出力され、前記光伝送路により伝送された光信号に含まれる誤りを検出する手段を備え、この誤りを検出する手段により得られた誤り率情報を元に、誤り率が低下する方に前記光送信装置から出力される光信号のチャープの符号の正負を切替える制御手段を備えたことを特徴とする（請求項１１）。
【００３０】
あるいは、本発明の光伝送システムは、前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、Ｎ個の前記光送信装置から送信される光信号を波長多重し前記光伝送路に送出する波長多重手段と、前記光伝送路から到来する波長多重された光信号から波長毎に光信号を分離する波長分離手段と、この波長分離手段から出力される波長毎の光信号をそれぞれ入力しその強度を低下させるＮ個の可変損失手段とを備え、Ｎ個の前記光受信装置は、このＮ個の可変損失手段からそれぞれ出力された光信号に含まれる誤りを検出する手段を備え、この誤りを検出する手段により得られた誤り率情報を元に、誤り率が低下する方にＮ個の前記光送信装置から出力される光信号のチャープの符号の正負をそれぞれ切替える制御手段を備えたことを特徴とする（請求項１２）。
【００３１】
あるいは、本発明の光伝送システムは、前記光送信装置および前記光受信装置はそれぞれＮ個設けられ、Ｎ個の前記光送信装置は、互いに異なる波長を持つ光信号を送信し、Ｎ個の前記光受信装置は、互いに異なる波長を持つ光信号を受信し、Ｎ個の前記光送信装置から送信される光信号をそれぞれ入力しその強度を低下させるＮ個の可変損失手段と、このＮ個の可変損失手段からそれぞれ出力された光信号を波長多重し前記光伝送路に送出する波長多重手段と、前記光伝送路から到来する波長多重された光信号から波長毎に光信号を分離してＮ個の前記光受信装置にそれぞれ入力する波長分離手段とを備え、Ｎ個の前記光受信装置はそれぞれ受信した光信号に含まれる誤りを検出する手段を備え、この誤りを検出する手段により得られた誤り率情報を元に、誤り率が低下する方にＮ個の前記光送信装置から出力される光信号のチャープの符号の正負をそれぞれ切替える制御手段を備えたことを特徴とする（請求項１３）。
【００３２】
また、前記光受信装置は、誤り訂正手段を備え、前記誤り率情報として誤り訂正数情報を用いることができる（請求項１４）。
【発明の効果】
【００３３】
本発明により、光位相を制御して変調帯域を圧縮したＲＺ信号のチャープの符号の正負を切替えて、最適波長分散量の値を変更し、許容波長分散量を拡大することができる。許容波長分散量の拡大により、システムとして用意する波長分散補償用品の分散値刻みを大きくすることができ、用品数削減による低コスト化が実現できる。また、自動的に送信信号のチャープの符号の正負を最適に切替えるシステムにより、システム導入時の作業員の作業量を低減することができる。
【発明を実施するための最良の形態】
【００３４】
（第一実施例）
第一実施例の光送信装置の実施例であり、第一実施例の光送信装置を図１を参照して説明する。図１は第一実施例の光送信装置を示すブロック構成図である。第一実施例の光送信装置は、キャリア光を出力するＣＷ光源１と、ＣＷ光源１と直列に接続されたＮ（Ｎ≧２）個の電極を持つ両側駆動型マッハツェンダ型変調器２と、ビットレートＢ（タイムスロットＴ）でチャネル１〜Ｎ（Ｄａｔａ♯１〜♯Ｎ）の電気信号としてのＮＲＺ信号をＲＺ化するＲＺ変換手段３−１〜３−Ｎと、ＲＺ化された電気信号としてのＲＺ信号の極性を切替える極性切替手段４−１〜４−Ｎと、チャネル２〜Ｎ（Ｄａｔａ♯２〜♯Ｎ）の電気信号としてのＲＺ信号にそれぞれ、Ｔ／２Ｎ×ｋ（ｋ：１，２，３，…，Ｎ−１）の遅延を与えてこのチャネル２〜Ｎの電気信号としてのＲＺ信号に応じた電圧を前記電極に印加する遅延回路５−１〜５−Ｎ−１と、チャネル１（Ｄａｔａ♯１）の電極にこのチャネル１の電気信号としてのＲＺ信号に応じたバイアス電圧を印加するバイアス回路６とから構成される（請求項１）。
【００３５】
ＣＷ光源１が出力したキャリア光は両側駆動マッハツェンダ型光変調器２に入力される。ビットレートＢ（タイムスロットＴ）でチャネル１〜Ｎの電気信号としてのＮＲＺ信号はそれぞれＲＺ化手段３−１〜３−ＮによってＲＺ化され、ＲＺ化された電気信号は極性切替手段４−１〜４−Ｎによって極性を設定され、チャネル２〜Ｎの電気信号にそれぞれＴ／２Ｎ×ｋ（ｋ：１，２，３，…，Ｎ−１）の遅延が与えられた後、両側駆動マッハツェンダ型光変調器２のＮ個の電極へと入力される。
【００３６】
このようにして、Ｎチャネルの信号で順次、キャリア光を変調することで、ビットレートＢ×Ｎの光信号を生成することができる。本実施例（Ｎ＝２）において極性切替手段４−１および４−２により電気信号としてのＲＺ信号の極性を反転させた場合の動作例を図２に示す。従来技術の動作例（図１９）と比べて、変調器アーム間の光位相差の変化方向が反転していることが判る。
【００３７】
このように、電気信号としてのＲＺ信号の極性を切替えることにより、変調器出力において発光（または消光）する際に光位相の変化する方向を切替えることができ、出力光信号のチャープの符号の正負を切替えることができる。チャープの符号の正負を切替えた際の波長分散量の値とアイ開口劣化との関係を図３に示す。チャープの符号の正負を切替えることにより、最適波長分散量の値を変更することができ、ペナルティの閾値以下での許容波長分散量の値の幅を拡大することが可能となる。
【００３８】
（第二実施例）
第二実施例は、第一実施例の光送信装置のＲＺ変換手段３−１〜３−Ｎおよび極性切替手段４−１〜４−Ｎの実現するための実施例であり、図４を参照して説明する。図４は第二実施例のＲＺ変換手段３−１〜３−Ｎおよび極性切替手段４−１〜４−Ｎのブロック構成と動作例を示す図である。第二実施例では、ＲＺ変換手段３−１〜３−Ｎおよび極性切替手段４−１〜４−Ｎを、入力されるＮＲＺ信号の極性を切替える極性切替手段７と、直流電圧印加手段８と、この直流電圧印加手段８の出力と極性切替手段７から出力されたＮＲＺ信号とを入力しＲＺ信号を生成する２：１セレクタ手段９とから構成する（請求項２）。
【００３９】
２：１セレクタ手段９に入力されるＮＲＺ信号と直流電圧の論理を同時に反転させることにより、２：１セレクタ手段９から出力されるＲＺ信号の極性を反転させることが可能となる。ＮＲＺ信号の極性反転はＥＸＯＲ回路で実現できるため、このようにＲＺ変換と極性切替えを行うことで、市販の電気回路を用いて、容易にチャープの符号の正負の切替えが可能となる。
【００４０】
（第三実施例）
第三実施例は、第一実施例の光送信装置のＲＺ変換手段３−１〜３−Ｎおよび極性切替手段４−１〜４−Ｎの実現するための実施例であり、図５を参照して説明する。図５は第三実施例のＲＺ変換手段３−１〜３−Ｎおよび極性切替手段４−１〜４−Ｎのブロック構成図である。第二実施例において、極性切替手段７に入力されるＮＲＺ信号は、Ｍ個のＮＲＺ信号が時分割多重化された信号であり、第三実施例では、ＲＺ変換手段３−１〜３−Ｎおよび極性切替手段４−１〜４−Ｎを、入力される前記Ｍ個のＮＲＺ信号の極性を切替える極性切替手段７−１〜７−Ｍと、極性切替手段７−１〜７−Ｍから出力されたＭ個のＮＲＺ信号を時分割多重化する時分割多重化回路１０と、直流電圧印加手段８と、この直流電圧印加手段８と時分割多重化手段１０から出力された時分割多重化されたＮＲＺ信号とを入力しＲＺ信号を生成する２：１セレクタ手段１１とから構成する（請求項３）。このＲＺ信号は、図１に示すバイアス回路６あるいは遅延回路５−１〜５−Ｎ−１にそれぞれ入力される。
【００４１】
第二実施例と異なる点は、信号の極性反転を時分割多重化前の低速信号で行う点である。低速電気信号を用いることにより、低コストで変調器駆動信号の極性を切替える機能を実現できる。
【００４２】
（第四実施例）
第四実施例は光伝送システムの実施例である。第四実施例の光伝送システムを図６を参照して説明する。図６は第四実施例の光伝送システムの全体構成図である。第四実施例は、第一実施例で説明した光送信装置２０と、光信号を伝送する光伝送路２１と、光信号を受信する光受信装置２２とにより構成される光伝送システムであって、光伝送路２１から出力された光信号を分配しその一方を光受信装置２２に入力する光分配手段２３と、この光分配手段２３により分配された光信号の他方を入力して光伝送路２１の波長分散量を測定する波長分散測定手段２４と、この波長分散測定手段２４により得られた波長分散量の値に基づき光送信装置２０から出力される光信号のチャープの符号の正負を切替える制御回路２５とを備えたことを特徴とする（請求項４）。
【００４３】
波長分散測定手段２４により測定された波長分散量の値の符号が正（負）の場合は、制御回路２５は光送信装置２０のチャープの符号を正（負）に設定し、より高い伝送品質を得られるチャープの符号を選択する。このように、自動的に最適なチャープの符号の正負を選択することにより、システム導入作業者や保守者の作業を軽減することができる。
【００４４】
（第五実施例）
第五実施例は光伝送システムの実施例である。第五実施例の光伝送システムを図７を参照して説明する。図７は第五実施例の光伝送システムの全体構成図である。第五実施例は、第一実施例で説明した光送信装置２０−１〜２０−Ｎと、光信号を伝送する光伝送路２１と、光信号を受信する光受信装置２２−１〜２２−Ｎとにより構成される光伝送システムであって、光送信装置２０−１〜２０−Ｎおよび光受信装置２２−１〜２２−ＮはそれぞれＮ個設けられ、Ｎ個の光送信装置２０−１〜２０−Ｎは、互いに異なる波長を持つ光信号を送信し、Ｎ個の光受信装置２２−１〜２２−Ｎは、互いに異なる波長を持つ光信号を受信し、Ｎ個の光送信装置２０−１〜２０−Ｎから送信される光信号を波長多重し光伝送路２１に送出する波長多重手段２６と、光伝送路２１から到来する波長多重された光信号を分配する光分配手段２３と、この光分配手段２３により分配された光信号の一方から波長毎に光信号を分離してＮ個の光受信装置２２−１〜２２−Ｎにそれぞれ入力する波長分離手段２７と、光分配手段２３により分配された光信号の他方から特定波長の光信号を抽出する波長選択手段２８と、この波長選択手段２８から出力される光信号から光伝送路２１の波長分散量を測定する波長分散測定手段２４と、この波長分散測定手段２４により得られた波長分散量の値に基づきＮ個の光送信装置２０−１〜２０−Ｎから出力される光信号のチャープの符号の正負を切替える制御回路２９とを備えたことを特徴とする（請求項５）。
【００４５】
波長多重された光信号を分岐し、各波長の光信号を抽出して波長分散測定を行うことにより、波長分散測定手段２４を全波長で共用することができ、システムの低コスト化を実現できる。
【００４６】
（第六実施例）
第六実施例は光伝送システムの実施例である。第六実施例の光伝送システムを図８を参照して説明する。図８は第六実施例の光伝送システムの全体構成図である。第六実施例の光伝送システムは、第四または第五実施例で説明した波長分散測定手段２４に代えて、光信号を電気信号に変換する光電変換手段３０と、この光電変換手段３０から出力される電気信号から特定の帯域成分を抽出する帯域選択手段３１と、この帯域選択手段３１から出力される電気信号の強度を測定する強度測定手段３２とを備え、第四または第五実施例で説明した制御回路２５または２９に代えて、この強度測定手段３２で得られる強度が高くなる方に光送信装置２０のチャープの符号の正負を切替える制御回路３３を備える（請求項６）。
【００４７】
受信信号の特定の帯域成分（例えば、ビットレートの１／２、１／４など）の強度をモニタすることにより、波長分散による波形歪みを検出することができる。図９および図１０に、それぞれビットレートの１／２および１／４の周波数成分強度と波長分散量の値との関係を示す。この周波数成分強度がより強くなるチャープの符号の正負を選択する。モニタする周波数成分を低くすることで、正負どちらのチャープの符号が伝送品質を高くできるか正常に検出できる波長分散量の値の幅を拡大することができる。
【００４８】
（第七実施例）
第七実施例は光伝送システムの実施例である。第七実施例の光伝送システムを図１１を参照して説明する。図１１は第七実施例の光伝送システムの全体構成図である。第七実施例の光伝送システムは、波長分散測定手段２４は、光信号の光スペクトル成分のうち少なくとも２つの異なる周波数成分を分離して抽出する周波数成分分離手段４０と、この周波数成分分離手段４０から出力される２つの光信号を電気信号に変換する２つの光電変換手段４１−１および４１−２と、この２つの光電変換手段４１−１および４１−２から出力される２つの電気信号間の相対的位相差を検出する位相比較手段４２と、この位相比較手段４２から得られた相対的位相差情報を元に光信号が光伝送路２１で被った波長分散量を算出する波長分散算出手段４３とを備える（請求項７）。
【００４９】
周波数の異なる信号成分は、光伝送路２１の波長分散によりそれぞれ異なる遅延を受ける。したがって、各成分間の位相差を検出することにより波長分散量を測定でき、位相差の符号から波長分散の符号も検出できる。
【００５０】
また、光送信装置２０においてビットレートよりも低周波数のトーン信号を信号光に強度変調として重畳し、トーン信号の周波数成分の位相比較と強度検出をすることで、波長分散の検出範囲を拡大することが可能となる。波長分散算出手段４３により測定された波長分散の符号が正（負）の場合は、制御回路２５は光送信装置２０のチャープの符号を正（負）に設定し、より高い伝送品質を得られるチャープの符号に切替える。このように、自動的に最適なチャープの符号の正負を選択することにより、システム導入作業者や保守者の作業を軽減することができる。
【００５１】
（第八実施例）
第八実施例は光伝送システムの実施例である。第八実施例の光伝送システムを図１２を参照して説明する。図１２は第八実施例の光伝送システムの全体構成図である。第八実施例は、第一実施例で説明した光送信装置２０と、光信号を伝送する光伝送路２１と、光信号を受信する光受信装置２２とにより構成される光伝送システムであって、光受信装置２２には、光信号に含まれる誤りを検出する誤り検出手段５０を備え、この誤り検出手段５０により得られた誤り率情報を元に、誤り率が低下する方に前記光送信装置から出力される光信号のチャープの符号の正負を切替える制御回路５１を備える（請求項８）。
【００５２】
誤り率が低くなるチャープの符号の正負を選択することで、波長分散による波形劣化が少ないチャープの符号に切替えることができる。このように光受信装置２２の誤り検出機能を利用することで、波長分散測定手段２４などの付加的な回路を用意しなくてもよく、低コストにシステムを実現できる。
【００５３】
（第九実施例）
第九実施例は光伝送システムの実施例である。第九実施例の光伝送システムを図１３を参照して説明する。図１３は第九実施例の光伝送システムの全体構成図である。第九実施例は、第一実施例で説明した光送信装置２０−１〜２０−Ｎと、光信号を伝送する光伝送路２１と、光信号を受信する光受信装置２２−１〜２２−Ｎとにより構成される光伝送システムであって、光送信装置２０−１〜２０−Ｎおよび光受信装置２２−１〜２２−ＮはそれぞれＮ個設けられ、Ｎ個の光送信装置２０−１〜２０−Ｎは、互いに異なる波長を持つ光信号を送信し、Ｎ個の光受信装置２２−１〜２２−Ｎは、互いに異なる波長を持つ光信号を受信し、Ｎ個の光送信装置２０−１〜２０−Ｎから送信される光信号を波長多重し光伝送路２１に送出する波長多重手段２６と、光伝送路２１から到来する波長多重された光信号から波長毎に光信号を分離してＮ個の光受信装置２２−１〜２２−Ｎにそれぞれ入力する波長分離手段２７とを備え、Ｎ個の光受信装置２２−１〜２２−Ｎはそれぞれ受信した光信号に含まれる誤りを検出する誤り検出手段５０を備え、この誤り検出手段５０により得られた誤り率情報を元に、誤り率が低下する方にＮ個の光送信装置２０−１〜２０−Ｎから出力される光信号のチャープの符号の正負をそれぞれ切替える制御回路５３を備えたことを特徴とする（請求項９）。
【００５４】
誤り率が低くなるチャープの符号の正負を選択することで、波長分散による波形劣化が少ないチャープの符号に切替えることができる。このように光受信装置２２−１〜２２−Ｎの誤り検出機能を利用することで、波長分散測定手段２４などの付加的な回路を用意しなくてもよく、低コストに波長多重システムを実現できる。
【００５５】
（第十実施例）
第十実施例は光伝送システムの実施例である。第十実施例の光伝送システムを図１４を参照して説明する。図１４は第十実施例の光伝送システムの全体構成図である。第十実施例は、第一実施例で説明した光送信装置２０と、光信号を伝送する光伝送路２１と、光信号を受信する光受信装置２２とにより構成される光伝送システムであって、光伝送路２１から到来する光信号の強度を低下させる可変損失手段５２が設けられ、光受信装置２２には、この可変損失手段５２から出力される光信号に含まれる誤りを検出する誤り検出手段５０を備え、この誤り検出手段５０により得られた誤り率情報を元に、誤り率が低下する方に光送信装置２０から出力される光信号のチャープの符号の正負を切替える制御回路５１を備えたことを特徴とする（請求項１０）。
【００５６】
可変損失手段５２により受信する信号光の光ＳＮＲを低下させ、誤り率を高くして、光送信装置２０の最適なチャープの符号の正負を選択する。受信信号の光ＳＮＲが高い場合には、波長分散による劣化があっても誤り率が非常に低い場合がある。この場合には、誤り率情報を元に最適なチャープの符号の正負を選択するには、膨大な測定時間が必要となる。ビットレート４０Ｇｂｉｔ／ｓで誤り率１０-15では、数十時間の測定時間が必要である。可変損失手段５２により受信する信号光の光ＳＮＲを低下させることにより、短時間で最適なチャープの符号の正負の切替えを行うことが可能となる。
【００５７】
（第十一実施例）
第十一実施例は光伝送システムの実施例である。第十一実施例の光伝送システムを図１５を参照して説明する。図１５は第十一実施例の光伝送システムの全体構成図である。第十一実施例は、第一実施例で説明した光送信装置２０と、光信号を伝送する光伝送路２１と、光信号を受信する光受信装置２２とにより構成される光伝送システムであって、光送信装置２０から送出される光信号の強度を低下させる可変損失手段５２が設けられ、光受信装置２２には、この可変損失手段５２から出力され、光伝送路２１により伝送された光信号に含まれる誤りを検出する誤り検出手段５０を備え、この誤り検出手段５０により得られた誤り率情報を元に、誤り率が低下する方に光送信装置２０から出力される光信号のチャープの符号の正負を切替える制御回路５１を備えたことを特徴とする（請求項１１）。
【００５８】
第十一実施例の光伝送システムが第十実施例の光伝送システムと異なる点は、可変損失手段５２が受信側ではなく、送信側に配置されている点である。通常、光伝送システムは光伝送路２１において光ＳＮＲが制限されており、受信側で損失のある部品を増やすことで受信信号の光パワーや光ＳＮＲを低下させてしまう。光ＳＮＲを主に制限する光伝送路２１の前にある送信側に可変損失手段５２を配置することで、可変損失手段５２の追加による光ＳＮＲ低下の影響を小さくすることが可能となる。
【００５９】
（第十二実施例）
第十二実施例は光伝送システムの実施例である。第十二実施例の光伝送システムを図１６を参照して説明する。図１６は第十二実施例の光伝送システムの全体構成図である。第十二実施例は、第一実施例で説明した光送信装置２０−１〜２０−Ｎと、光信号を伝送する光伝送路２１と、光信号を受信する光受信装置２２−１〜２２−Ｎとにより構成される光伝送システムであって、光送信装置２０−１〜２０−Ｎおよび光受信装置２２−１〜２２−ＮはそれぞれＮ個設けられ、Ｎ個の光送信装置２０−１〜２０−Ｎは、互いに異なる波長を持つ光信号を送信し、Ｎ個の光受信装置２２−１〜２２−Ｎは、互いに異なる波長を持つ光信号を受信し、Ｎ個の光送信装置２０−１〜２０−Ｎから送信される光信号を波長多重し光伝送路２１に送出する波長多重手段２６と、光伝送路２１から到来する波長多重された光信号から波長毎に光信号を分離する波長分離手段２７と、この波長分離手段２７から出力される波長毎の光信号をそれぞれ入力しその強度を低下させるＮ個の可変損失手段５２−１〜５２−Ｎとを備え、Ｎ個の光受信装置２２−１〜２２−Ｎは、このＮ個の可変損失手段５２−１〜５２−Ｎからそれぞれ出力された光信号に含まれる誤りを検出する誤り検出手段５０を備え、この誤り検出手段５０により得られた誤り率情報を元に、誤り率が低下する方にＮ個の光送信装置２０−１〜２０−Ｎから出力される光信号のチャープの符号の正負をそれぞれ切替える制御回路５３を備えたことを特徴とする（請求項１２）。
【００６０】
可変損失手段５２−１〜５２−Ｎにより受信する光信号の光ＳＮＲを低下させ、誤り率を高くして、光送信装置２０−１〜２０−Ｎの最適なチャープの符号  の正負を選択する。可変損失手段５２−１〜５２−Ｎにより受信する光信号の光ＳＮＲを低下させることにより、短時間で最適なチャープの符号の正負を選択することが可能となる。
【００６１】
（第十三実施例）
第十三実施例は光伝送システムの実施例である。第十三実施例の光伝送システムを図１７を参照して説明する。図１７は第十三実施例の光伝送システムの全体構成図である。第十三実施例は、第一実施例で説明した光送信装置２０−１〜２０−Ｎと、光信号を伝送する光伝送路２１と、光信号を受信する光受信装置２２−１〜２２−Ｎとにより構成される光伝送システムであって、光送信装置２０−１〜２０−Ｎおよび光受信装置２２−１〜２２−ＮはそれぞれＮ個設けられ、Ｎ個の光送信装置２０−１〜２０−Ｎは、互いに異なる波長を持つ光信号を送信し、Ｎ個の光受信装置２２−１〜２２−Ｎは、互いに異なる波長を持つ光信号を受信し、Ｎ個の光送信装置２０−１〜２０−Ｎから送信される光信号をそれぞれ入力しその強度を低下させるＮ個の可変損失手段５２−１〜５２−Ｎと、このＮ個の可変損失手段５２−１〜５２−Ｎからそれぞれ出力された光信号を波長多重し光伝送路２１に送出する波長多重手段２６と、光伝送路２１から到来する波長多重された光信号から波長毎に光信号を分離してＮ個の光受信装置２２−１〜２２−Ｎにそれぞれ入力する波長分離手段２７とを備え、Ｎ個の光受信装置２２−１〜２２−Ｎはそれぞれ受信した光信号に含まれる誤りを検出する誤り検出手段５０を備え、この誤り検出手段５０により得られた誤り率情報を元に、誤り率が低下する方にＮ個の光送信装置２０−１〜２０−Ｎから出力される光信号のチャープの符号の正負をそれぞれ切替える制御回路５３を備えたことを特徴とする（請求項１３）。
【００６２】
第十三実施例の光伝送システムが第十二実施例の光伝送システムと異なる点は、可変損失手段５２−１〜５２−Ｎが受信側ではなく、送信側に配置されている点である。通常、光伝送システムは光伝送路２１において光ＳＮＲが制限されており、受信側で損失のある部品を増やすことで受信信号の光パワーや光ＳＮＲを低下させてしまう。光ＳＮＲを主に制限する光伝送路２１の前にある送信側に可変損失手段５２−１〜５２−Ｎを配置することで、可変損失手段５２−１〜５２−Ｎの追加による光ＳＮＲ低下の影響を小さくすることが可能となる。
【００６３】
なお、第八〜第十三実施例では、光受信装置２２、２２−１〜２２−Ｎは、誤り訂正手段を備え、前記誤り率情報として誤り訂正数情報を用いることができる（請求項１４）。
【産業上の利用可能性】
【００６４】
本発明により、システムとして用意する波長分散補償用品の分散値刻みを大きくすることができ、用品数削減による低コスト化が実現できる。また、自動的に送信信号の最適なチャープの符号の正負を選択するシステムにより、システム導入時の作業員の作業量を低減することができる。
【図面の簡単な説明】
【００６５】
【図１】第一実施例の光送信装置のブロック構成図。
【図２】第一実施例（Ｎ＝２）において極性切替手段によりＲＺ電気信号の極性を反転させた場合の動作例を示す図。
【図３】第一実施例の光送信装置のアイ開口劣化と波長分散量の値との関係を示す図。
【図４】第二実施例の極性切替手段およびＲＺ変換手段のブロック構成図。
【図５】第三実施例の極性切替手段およびＲＺ変換手段のブロック構成図。
【図６】第四実施例の光伝送システムの全体構成図。
【図７】第五実施例の光伝送システムの全体構成図。
【図８】第六実施例の光伝送システムの全体構成図。
【図９】第六実施例の光伝送システムにおける周波数Ｂ／２帯域の信号強度と波長分散との関係を示す図。
【図１０】第六実施例の光伝送システムにおける周波数Ｂ／４帯域の信号強度と波長分散との関係を示す図。
【図１１】第七実施例の光伝送システムの全体構成図。
【図１２】第八実施例の光伝送システムの全体構成図。
【図１３】第九実施例の光伝送システムの全体構成図。
【図１４】第十実施例の光伝送システムの全体構成図。
【図１５】第十一実施例の光伝送システムの全体構成図。
【図１６】第十二実施例の光伝送システムの全体構成図。
【図１７】第十三実施例の光伝送システムの全体構成図。
【図１８】従来の光送信装置のブロック構成図。
【図１９】従来の光送信装置の動作例を説明するための図。
【図２０】従来の光送信装置の動作例におけるアイパターンを示す図。
【符号の説明】
【００６６】
１  ＣＷ光源
２  両側駆動マッハツェンダ型光変調器
３−１〜３−Ｎ  ＲＺ変換手段
４−１〜４−Ｎ、７、７−１〜７−Ｎ  極性切替手段
５−１〜５−Ｎ−１  遅延回路
６  バイアス回路
８  直流電圧印加手段
９、１１  ２：１セレクタ手段
１０  時分割多重化回路
２０、２０−１〜２０−Ｎ  光送信装置
２１  光伝送路
２２、２２−１〜２２−Ｎ  光受信装置
２３  光分配手段
２４  波長分散測定手段
２５、２９、３３、５１、５３  制御回路
２６  波長多重手段
２７  波長分離手段
２８  波長選択手段
３０、４１−１、４１−２  光電変換手段
３１  帯域選択手段
３２  強度測定手段
４０  周波数成分分離手段
４２  位相比較手段
４３  波長分散算出手段
５０  誤り検出手段
５２、５２−１〜５２−Ｎ  可変損失手段
６０−１〜６０−Ｎ  ＲＺ化手段
６１−１〜６１−Ｎ−１  遅延手段
【図１】
2006054660.tif 000003
【図２】
2006054660.tif 000004
【図３】
2006054660.tif 000005
【図４】
2006054660.tif 000006
【図５】
2006054660.tif 000007
【図６】
2006054660.tif 000008
【図７】
2006054660.tif 000009
【図８】
2006054660.tif 000010
【図９】
2006054660.tif 000011
【図１０】
2006054660.tif 000012
【図１１】
2006054660.tif 000013
【図１２】
2006054660.tif 000014
【図１３】
2006054660.tif 000015
【図１４】
2006054660.tif 000016
【図１５】
2006054660.tif 000017
【図１６】
2006054660.tif 000018
【図１７】
2006054660.tif 000019
【図１８】
2006054660.tif 000020
【図１９】
2006054660.tif 000021
【図２０】
2006054660.tif 000022